(57)【要約】【課題】  ３個の電子ビームスポット間の均一性を向上させ、画質を改善する。【解決手段】  少なくとも相対的に低い電圧が印加されるフォーカス電極Ｇ３−２と相対的に高い電圧が印加されるアノード電極Ｇ４とで主レンズが形成される。フォーカス電極はアノード電極と相対する面に３電子ビームに共通の概ね長円形の電子ビーム通過孔２６を備える。アノード電極はフォーカス電極と相対する面に３電子ビームに共通の非円形電子ビーム通過孔３１を備える。センター電子ビームに対して短軸方向に対向する非円形電子ビーム通過孔の端縁には、非円形電子ビーム通過孔の短軸方向の開口径を、短軸上にて最小とし、短軸から長軸方向に離れるに従って連続的に増大させる突出部３０が設けられている。フォーカス電極及びアノード電極の内部には非点収差を補正する手段２９，３４がそれぞれ配置されている。【選択図】  図３
2007059258.tif 000002
【特許請求の範囲】
【請求項１】
蛍光体スクリーンと、
センター電子ビーム及び一対のサイド電子ビームからなる一列配置された３電子ビームを前記蛍光体スクリーンに向かって放出する電子銃と、
前記３電子ビームを前記蛍光体スクリーン上に水平方向及び垂直方向に走査させる偏向ヨークと
を備えたカラーブラウン管装置であって、
前記電子銃は、前記３電子ビームを発生する、３つのカソード、３つの電子ビーム通過孔が形成されたコントロール電極、及びスクリーン電極からなる３極部と、前記３極部で発生した前記３電子ビームを最終的に前記蛍光体スクリーン上に加速、集束させる主レンズとを有し、
前記主レンズは、前記３電子ビームの進行方向に沿って順次配置された、フォーカス電圧が印加されるフォーカス電極と、前記フォーカス電極と対向し、前記フォーカス電圧より高いアノード電圧が印加されるアノード電極とで形成され、
前記フォーカス電極は、前記アノード電極と相対する面に、その長軸が前記３電子ビームの配列方向に平行であり、且つ、その短軸が前記３電子ビームの配列方向に直交する、前記３電子ビームに共通の概ね長円形の電子ビーム通過孔を備え、
前記アノード電極は、前記フォーカス電極と相対する面に、その長軸が前記３電子ビームの配列方向に平行であり、且つ、その短軸が前記３電子ビームの配列方向に直交する、前記３電子ビームに共通の非円形電子ビーム通過孔を備え、
前記センター電子ビームに対して前記短軸方向に対向する前記非円形電子ビーム通過孔の端縁には、前記非円形電子ビーム通過孔の前記短軸方向の開口径を、前記短軸上にて最小とし、前記短軸から前記長軸方向に離れるに従って連続的に増大させる突出部が設けられており、
前記フォーカス電極及び前記アノード電極の内部には、非点収差を補正する手段がそれぞれ配置されていることを特徴とするカラーブラウン管装置。
【請求項２】
前記非円形電子ビーム通過孔は、前記短軸方向の開口径の最大値Ｄｖmaxと最小値Ｄｖminとが、
０．７３≦Ｄｖmin／Ｄｖmax≦０．９４
を満足し、且つ、前記突出部の前記長軸方向の幅Ｗと前記非円形電子ビーム通過孔の前記長軸方向の開口径Ｄｈとが、
Ｗ／Ｄｈ≦０．２９
を満足する請求項１に記載のカラーブラウン管装置。
【請求項３】
前記３電子ビームの進行方向と平行な方向から見た前記突出部は曲線で構成されている請求項１又は２に記載のカラーブラウン管装置。
【請求項４】
前記３電子ビームの進行方向と平行な方向から見た前記突出部は直線で構成されている請求項１又は２に記載のカラーブラウン管装置。
【請求項５】
蛍光体スクリーンと、
センター電子ビーム及び一対のサイド電子ビームからなる一列配置された３電子ビームを前記蛍光体スクリーンに向かって放出する電子銃と、
前記３電子ビームを前記蛍光体スクリーン上に水平方向及び垂直方向に走査させる偏向ヨークと
を備えたカラーブラウン管装置であって、
前記電子銃は、前記３電子ビームを発生する、３つのカソード、３つの電子ビーム通過孔が形成されたコントロール電極、及びスクリーン電極からなる３極部と、前記３極部で発生した前記３電子ビームを最終的に前記蛍光体スクリーン上に加速、集束させる主レンズとを有し、
前記主レンズは、前記３電子ビームの進行方向に沿って順次配置された、フォーカス電圧が印加されるフォーカス電極と、前記フォーカス電圧より高い中間電圧が印加される少なくとも１個の中間電極と、前記中間電圧より高いアノード電圧が印加されるアノード電極とで形成され、
前記フォーカス電極は、前記中間電極と相対する面に、その長軸が前記３電子ビームの配列方向に平行であり、且つ、その短軸が前記３電子ビームの配列方向に直交する、前記３電子ビームに共通の概ね長円形の電子ビーム通過孔を備え、
前記中間電極及び前記アノード電極の少なくとも一方は、相対的に低い電圧が印加されている電極と相対する面に、その長軸が前記３電子ビームの配列方向に平行であり、且つ、その短軸が前記３電子ビームの配列方向に直交する、前記３電子ビームに共通の非円形電子ビーム通過孔を備え、
前記センター電子ビームに対して前記短軸方向に対向する前記非円形電子ビーム通過孔の端縁には、前記非円形電子ビーム通過孔の前記短軸方向の開口径を、前記短軸上にて最小とし、前記短軸から前記長軸方向に離れるに従って連続的に増大させる突出部が設けられており、
前記フォーカス電極及び前記アノード電極の内部には、非点収差を補正する手段がそれぞれ配置されていることを特徴とするカラーブラウン管装置。
【請求項６】
前記非円形電子ビーム通過孔は、前記短軸方向の開口径の最大値Ｄｖmaxと最小値Ｄｖminとが、
０．７３≦Ｄｖmin／Ｄｖmax≦０．９４
を満足し、且つ、前記突出部の前記長軸方向の幅Ｗと前記非円形電子ビーム通過孔の前記長軸方向の開口径Ｄｈとが、
Ｗ／Ｄｈ≦０．２９
を満足する請求項５に記載のカラーブラウン管装置。
【請求項７】
前記３電子ビームの進行方向と平行な方向から見た前記突出部は曲線で構成されている請求項５又は６に記載のカラーブラウン管装置。
【請求項８】
前記３電子ビームの進行方向と平行な方向から見た前記突出部は直線で構成されている請求項５又は６に記載のカラーブラウン管装置。
【発明の詳細な説明】
【技術分野】
【０００１】
本発明は、カラーブラウン管装置に関し、特に、良好な画質を得ることができるカラーブラウン管装置に関する。
【背景技術】
【０００２】
一般に、カラーブラウン管装置は、図２０に示すように、パネル１及びファンネル２が一体に接合された外囲器を備える。パネル１の内面には赤、緑、青に発光する３色の蛍光体層からなる蛍光体スクリーン４が形成され、蛍光体スクリーン４に対向して、多数の電子ビーム通過孔が形成されたシャドウマスク３がパネル１の内壁面に取り付けられている。ファンネル２のネック部５内には３電子ビーム７Ｂ，７Ｇ，７Ｒを放出する電子銃６が配設されている。ファンネル２の外周面には偏向ヨーク８が搭載されている。電子銃６から放出された３電子ビーム７Ｂ，７Ｇ，７Ｒは、偏向ヨーク８が発生する磁界により偏向され、シャドウマスク３の電子ビーム通過孔を通過して、蛍光体スクリーン４を水平方向及び垂直方向に走査して、蛍光体スクリーン４上にカラー画像が表示される。
【０００３】
この様なカラーブラウン管装置のうち、特に、電子銃６を、同一水平面上に一列配置されたセンター電子ビーム及び一対のサイド電子ビームからなる３電子ビームを放出するインライン型電子銃とし、一方、偏向ヨーク８が発生する水平偏向磁界を糸巻型、垂直偏向磁界を樽型とする非斉一磁界として、３電子ビームを蛍光体スクリーン４上に自己集中させるインライン型カラーブラウン管装置が一般的である。
【０００４】
一列配置された３電子ビームを放出する電子銃としては、各種方式があるが、その一種にＢＰＦ（Ｂｉ−Ｐｏｔｅｎｔｉａｌ  Ｆｏｃｕｓ）型ＤＡＦ（Ｄｙｎａｍｉｃ  Ａｓｔｉｇｍａｔｉｓｍ  ａｎｄ  Ｆｏｃｕｓ  ｃｏｒｒｅｃｔｉｏｎ）方式と呼ばれるものがある。
【０００５】
また、インライン型電子銃の主レンズ構造としても、各種方式があるが、その一種として重畳電界型と呼ばれるものがある。
【０００６】
この電子銃の一例を図２１（Ａ）及び図２１（Ｂ）に示す。図２１（Ａ）は水平方向断面図であり、図２１（Ｂ）は垂直方向断面図である。電子銃の中心軸（即ちカラーブラウン管装置の管軸）をＺ軸とする。矢印９０は電子ビームの進行方向を示す。
【０００７】
この電子銃は、水平方向に一列配置された３個のカソードＫと、これから蛍光体スクリーン（図示せず）側に順次配置された一体構造の第１グリッドＧ１乃至第４グリッドＧ４と、第４グリッドＧ４の蛍光体スクリーン側端に取り付けられたシールドカップＳＣとからなる。
【０００８】
第１グリッドＧ１乃び第２グリッドＧ２には、上記一列配置された３個のカソードＫに対応した３個の電子ビーム通過孔がそれぞれ形成されている。
【０００９】
第３―１グリッドＧ３―１は、電子ビーム入射側端及び出射側端に３個の電子ビーム通過孔が形成された筒体を備える。
【００１０】
第３―２グリッド（フォーカス電極）Ｇ３―２は、電子ビーム入射側端すなわち第３―１グリッドＧ３―１と相対する面に３個の電子ビーム通過孔が形成され、電子ビーム出射側端すなわち第４グリッドＧ４と相対する面に図２２に示すように３電子ビームに共通の概ね長円形の電子ビーム通過孔９が形成された筒体１０を備える。電子ビーム通過孔９の長軸は３電子ビームの配列方向（即ち水平方向）に平行であり、且つ、その短軸は３電子ビームの配列方向に直交する（即ち垂直方向と平行である）。電子ビーム通過孔９の端縁形状は長軸及び短軸に対して対称である。第３―２グリッドＧ３―２の内部には非点収差の補正を目的として３個の電子ビーム通過孔１１Ｂ、１１Ｇ、１１Ｒが形成された非点収差補正電極１２が配置されている。
【００１１】
第４グリッド（アノード電極）Ｇ４は、電子ビーム入射側端すなわち第３−２グリッドＧ３−２と相対する面に図２３に示すように３電子ビームに共通の概ね長円形の電子ビーム通過孔１３が形成された筒体１４を備える。電子ビーム通過孔１３の長軸は３電子ビームの配列方向（即ち水平方向）に平行であり、且つ、その短軸は３電子ビームの配列方向に直交する（即ち垂直方向と平行である）。電子ビーム通過孔１３の端縁形状は長軸及び短軸に対して対称である。第４グリッドＧ４の内部には非点収差の補正を目的として３個の電子ビーム通過孔１５Ｂ、１５Ｇ、１５Ｒが形成された非点収差補正電極１６が配置されている。
【００１２】
この電子銃では、カソードＫに約２０Ｖ乃至約１７０Ｖの電圧が印加され、第１グリッドＧ１は接地され、第２グリッドＧ２には約６００Ｖが印加される。第３―１グリッドＧ３―１には約８ｋＶのフォーカス電圧が印加され、第３−２グリッドＧ３−２には約８ｋＶを基準として、電子ビームの偏向距離に応じて上昇するダイナミックフォーカス電圧が重畳された電圧が印加される。第４グリッドＧ４には約３０ｋＶの高電圧（アノード電圧）が印加される。
【００１３】
これによって、カソードＫ、第１グリッドＧ１、及び第２グリッドＧ２が電子ビームを発生し、かつ後述する主レンズに対する物点を形成する３極部を構成し、第２グリッドＧ２乃至第３−１グリッドＧ３−１が前記３極部から放出された電子ビームを予備収束させるプリフォーカスレンズを形成する。また、電子ビームが偏向されるときには、第３−１グリッドＧ３−１乃至第３−２グリッドＧ３−２が、水平方向に集束作用を有し、垂直方向に発散作用を有する４極子レンズを形成する。さらにフォーカス電極である第３―２グリッドＧ３―２とアノード電極である第４グリッドＧ４が電子ビームを最終的に蛍光体スクリーン上に加速、集束させる重畳電界型ＢＰＦ主レンズを形成する。
【００１４】
この電子銃では、電子ビームが偏向されることなく蛍光体スクリーンの中央に向かう場合には、第３−１グリッドＧ３−１と第３−２グリッドＧ３−２との間に４極子レンズは形成されず、３極部からの電子ビームはプリフォーカスレンズで予備集束された後、主レンズにより蛍光体スクリーン上の中央に集束される。
【００１５】
これに対し、電子ビームが蛍光体スクリーンの周辺部へ偏向される場合には、電子ビームの偏向量に応じて第３−２グリッドＧ３−２の電圧が高くなり、第３−１グリッドＧ３−１と第３−２グリッドＧ３−２との間に電子ビームを水平方向に集束させ、垂直方向に発散させる４極子レンズが形成される。同時に、第３−２グリッドＧ３−２の電圧の上昇により、第３−２グリッドＧ３−２と第４グリッドＧ４とにより形成される主レンズのレンズ強度が弱くなる。これによって、電子ビームの偏向に伴う主レンズから蛍光体スクリーンまでの距離の拡大と、偏向ヨークの糸巻型水平偏向磁界及び樽型垂直偏向磁界とにより発生する偏向収差を補償する。
【００１６】
ところで、カラーブラウン管装置の画質を良好にするためには、解像度を良好にすることが必要である。そのためには蛍光体スクリーン上での電子ビームスポット径を縮小するだけでなく、赤、緑、青の３色の蛍光体をそれぞれ発光させる３個の電子ビームスポットの形状や大きさが互いに均一であることも重要である。特に近年はハイビジョンに対応するために電子ビームスポット径がより縮小されているため、３個の電子ビームスポットの形状や大きさのわずかな違いが解像度の劣化を引き起こしやすい。
【００１７】
図２４は、３極部から出射された電子ビーム７の、主レンズＭＬ通過前後の断面形状を示した図である。この図で示すように、例えば３極部から出射され、主レンズＭＬを通過する前の電子ビーム７はＡ−Ａ断面で示すように円形の断面形状を有している。この電子ビーム７が重畳電界型主レンズＭＬを通過する際に垂直軸上で垂直方向により強く集束されるので、主レンズＭＬを通過後の電子ビーム７は、Ｂ−Ｂ断面で示すように垂直軸上にくびれを有する形状に歪む。この理由を以下に詳説する。
【００１８】
図２５（Ａ）は、重畳電界型主レンズＭＬを構成する電極のうち相対的に低い電圧が印加されるフォーカス電極Ｇ３−２のアノード電極Ｇ４側端面とセンター電子ビーム７Ｇとを示した正面図である（フォーカス電極Ｇ３−２内の非点収差補正電極１２及びサイド電子ビーム７Ｒ，７Ｂは図示せず）。図においてＸ軸及びＹ軸は、それぞれ電子ビーム通過孔９の長軸及び短軸である。上述したように、フォーカス電極Ｇ３−２を構成する筒体１０のアノード電極Ｇ４と相対する面には、その長軸が３電子ビームの配列方向に平行であり、且つ、その短軸が３電子ビームの配列方向に直交する、３電子ビームに共通の概ね長円形の電子ビーム通過孔９が形成されている。センター電子ビーム７Ｇは、電子ビーム通過孔９を通過する際に主に短軸方向の集束作用を受ける。このとき、センター電子ビーム７Ｇの短軸上の端部（以下、「垂直軸端」という）７ＧＶは、電子ビーム通過孔９の端縁に最も接近しているので、球面収差により図中の矢印のように、他の部分に比べてより強い集束作用を受ける。
【００１９】
図２５（Ｂ）は、重畳電界型主レンズＭＬを構成する電極のうち相対的に高い電圧が印加されるアノード電極Ｇ４のフォーカス電極Ｇ３−２側端面とセンター電子ビーム７Ｇとを示した正面図である（アノード電極Ｇ４内の非点収差補正電極１６及びサイド電子ビーム７Ｒ，７Ｂは図示せず）。図においてＸ軸及びＹ軸は、それぞれ電子ビーム通過孔１３の長軸及び短軸である。上述したように、アノード電極Ｇ４を構成する筒体１４のフォーカス電極Ｇ３−２と相対する面には、その長軸が３電子ビームの配列方向に平行であり、且つ、その短軸が３電子ビームの配列方向に直交する、３電子ビームに共通の概ね長円形の電子ビーム通過孔１３が形成されている。フォーカス電極Ｇ３−２を通過してアノード電極Ｇ４に入射したセンター電子ビーム７Ｇは、電子ビーム通過孔１３を通過する際に主に短軸方向の発散作用を受ける。このとき、センター電子ビーム７Ｇの垂直軸端７ＧＶは、電子ビーム通過孔１３の端縁に最も接近しているので、球面収差により図中の矢印のように、他の部分に比べてより強い発散作用を受ける。これにより、フォーカス電極Ｇ３−２で受けた球面収差が減殺される。しかしながら、最終的にはフォーカス電極Ｇ３−２で受けた球面収差が残り、センター電子ビーム７Ｇは図２３のＢ−Ｂ断面に示すように垂直軸端にくびれを有するように歪むことになる。
【００２０】
この電子ビームの歪みは、主レンズＭＬの垂直方向の球面収差によって生じるから、蛍光体スクリーン上に形成される電子ビームスポットの垂直方向径を決定付ける大きな要因となる。
【００２１】
同様の現象はセンター電子ビーム７Ｇだけでなくサイド電子ビーム７Ｒ，７Ｂにも生じるが、センター電子ビーム７Ｇのほうがより顕著である。従って、センター電子ビームスポットの垂直方向径はサイド電子ビームスポットの垂直方向径より大きくなり、３個の電子ビームスポット間の径の均一性が損なわれる。
【特許文献１】特開平５−２２５９３０号公報
【特許文献２】特開平８−１０２２６６号公報
【特許文献３】特開昭６２−６９４４１号公報
【発明の開示】
【発明が解決しようとする課題】
【００２２】
前述の様に、カラーブラウン管装置の画質を良好にするためには、蛍光体スクリーン全面で電子ビームスポット径を小さくすることに加えて、赤、緑、青の３色の蛍光体をそれぞれ発光させる３個の電子ビームスポットの形状や大きさが互いに均一であることも重要である。
【００２３】
しかしながら、従来の一般的な重畳電界型主レンズを備える電子銃では、サイド電子ビームスポットの垂直方向径よりもセンター電子ビームスポットの垂直方向径が大きくなり、３個の電子ビームスポット間の均一性が損なわれるというという問題がある。
【００２４】
本発明は、上記の従来の問題を解決するためになされたものであり、センター電子ビームスポットの垂直方向径を縮小して３個の電子ビームスポット間の均一性を向上させ、良好な画質が得られるカラーブラウン管装置を提供することを目的とする。
【課題を解決するための手段】
【００２５】
本発明のカラーブラウン管装置は、蛍光体スクリーンと、センター電子ビーム及び一対のサイド電子ビームからなる一列配置された３電子ビームを前記蛍光体スクリーンに向かって放出する電子銃と、前記３電子ビームを前記蛍光体スクリーン上に水平方向及び垂直方向に走査させる偏向ヨークとを備える。
【００２６】
前記電子銃は、前記３電子ビームを発生する、３つのカソード、３つの電子ビーム通過孔が形成されたコントロール電極、及びスクリーン電極からなる３極部と、前記３極部で発生した前記３電子ビームを最終的に前記蛍光体スクリーン上に加速、集束させる主レンズとを有する。
【００２７】
本発明の第１のカラーブラウン管装置では、前記主レンズは、前記３電子ビームの進行方向に沿って順次配置された、フォーカス電圧が印加されるフォーカス電極と、前記フォーカス電極と対向し、前記フォーカス電圧より高いアノード電圧が印加されるアノード電極とで形成される。
【００２８】
前記フォーカス電極は、前記アノード電極と相対する面に、その長軸が前記３電子ビームの配列方向に平行であり、且つ、その短軸が前記３電子ビームの配列方向に直交する、前記３電子ビームに共通の概ね長円形の電子ビーム通過孔を備える。
【００２９】
前記アノード電極は、前記フォーカス電極と相対する面に、その長軸が前記３電子ビームの配列方向に平行であり、且つ、その短軸が前記３電子ビームの配列方向に直交する、前記３電子ビームに共通の非円形電子ビーム通過孔を備える。
【００３０】
前記センター電子ビームに対して前記短軸方向に対向する前記非円形電子ビーム通過孔の端縁には、前記非円形電子ビーム通過孔の前記短軸方向の開口径を、前記短軸上にて最小とし、前記短軸から前記長軸方向に離れるに従って連続的に増大させる突出部が設けられている。
【００３１】
前記フォーカス電極及び前記アノード電極の内部には、非点収差を補正する手段がそれぞれ配置されている。
【００３２】
本発明の第２のカラーブラウン管装置では、前記主レンズは、前記３電子ビームの進行方向に沿って順次配置された、フォーカス電圧が印加されるフォーカス電極と、前記フォーカス電圧より高い中間電圧が印加される少なくとも１個の中間電極と、前記中間電圧より高いアノード電圧が印加されるアノード電極とで形成される。
【００３３】
前記フォーカス電極は、前記中間電極と相対する面に、その長軸が前記３電子ビームの配列方向に平行であり、且つ、その短軸が前記３電子ビームの配列方向に直交する、前記３電子ビームに共通の概ね長円形の電子ビーム通過孔を備える。
【００３４】
前記中間電極及び前記アノード電極の少なくとも一方は、相対的に低い電圧が印加されている電極と相対する面に、その長軸が前記３電子ビームの配列方向に平行であり、且つ、その短軸が前記３電子ビームの配列方向に直交する、前記３電子ビームに共通の非円形電子ビーム通過孔を備える。
【００３５】
前記センター電子ビームに対して前記短軸方向に対向する前記非円形電子ビーム通過孔の端縁には、前記非円形電子ビーム通過孔の前記短軸方向の開口径を、前記短軸上にて最小とし、前記短軸から前記長軸方向に離れるに従って連続的に増大させる突出部が設けられている。
【００３６】
前記フォーカス電極及び前記アノード電極の内部には、非点収差を補正する手段がそれぞれ配置されている。
【発明の効果】
【００３７】
本発明によれば、球面収差によってセンター電子ビームの垂直軸端が相対的に強く集束される現象が軽減され、センター電子ビームスポットの垂直方向径を縮小することができる。その結果、３個の電子ビームスポット間の均一性が向上し、画質の良好なカラーブラウン管装置を提供することができる。
【発明を実施するための最良の形態】
【００３８】
本発明の作用を以下に説明する。
【００３９】
図２６（Ａ）は、本発明の一実施形態に係るカラーブラウン管装置の電子銃において、重畳電界型主レンズを形成する対向する２つの電極のうち相対的に低い電圧が印加される電極（フォーカス電極）の他方の電極（アノード電極）側端面とセンター電子ビームとを示した正面図である（フォーカス電極内の非点収差補正電極及びサイド電子ビーム示せず）。フォーカス電極を構成する筒体１６のアノード電極と相対する面には、その長軸が３電子ビームの配列方向に平行であり、且つ、その短軸が３電子ビームの配列方向に直交する、３電子ビームに共通の概ね長円形の電子ビーム通過孔１５が形成されている。図においてＸ軸及びＹ軸は、それぞれ電子ビーム通過孔１５の長軸及び短軸である。電子ビーム通過孔１５の端縁形状は長軸及び短軸に対して対称である。センター電子ビーム７Ｇは、電子ビーム通過孔１５を通過する際に主に短軸方向の集束作用を受ける。このとき、センター電子ビーム７Ｇの垂直軸端７ＧＶは、電子ビーム通過孔１５の端縁に最も接近しているので、球面収差により図中の矢印のように、他の部分に比べてより強い集束作用を受ける。以上は、従来の重畳電界型主レンズと同じである。
【００４０】
図２６（Ｂ）は、本発明の一実施形態に係るカラーブラウン管装置の電子銃において、重畳電界型主レンズを形成する対向する２つの電極のうち相対的に高い電圧が印加される電極（アノード電極）の他方の電極（フォーカス電極）側端面とセンター電子ビームとを示した正面図である（アノード電極内の非点収差補正電極及びサイド電子ビーム示せず）。アノード電極を構成する筒体１８のフォーカス電極と相対する面には、その長軸が３電子ビームの配列方向に平行であり、且つ、その短軸が３電子ビームの配列方向に直交する、３電子ビームに共通の非円形の電子ビーム通過孔１７が形成されている。図においてＸ軸及びＹ軸は、それぞれ電子ビーム通過孔１７の長軸及び短軸である。電子ビーム通過孔１７の端縁形状は長軸及び短軸に対して対称である。センター電子ビーム７Ｇに対して短軸方向に対向する非円形電子ビーム通過孔１７の端縁には、非円形電子ビーム通過孔１７の短軸方向の開口径を、短軸上にて最小とし、短軸から長軸方向に離れるに従って連続的に増大させる突出部１９が設けられている。この結果、非円形電子ビーム通過孔１７は、短軸方向の開口径が長軸方向の中央で狭いくびれ形状を有している。フォーカス電極を通過してアノード電極に入射したセンター電子ビーム７Ｇは、電子ビーム通過孔１７を通過する際に主に短軸方向の発散作用を受ける。ここで、電子ビーム通過孔１７の、センター電子ビーム７Ｇを短軸方向に挟む一対の端縁には、それぞれ突出部１９が形成されているので、従来（図２５（Ｂ）参照）に比べて、電子ビーム通過孔１７の端縁はセンター電子ビーム７Ｇにより接近している。しかも、突出部１９の端縁は、短軸（Ｙ軸）上で長軸（Ｘ軸）に最も接近し、短軸から離れるにしたがって長軸から徐々に遠ざかる形状を有している。従って、センター電子ビーム７Ｇのうち、特に垂直軸端７ＧＶは電子ビーム通過孔１７の端縁に接近する。これにより、従来（図２５（Ｂ）参照）に比べて、センター電子ビーム７Ｇの垂直軸端７ＧＶはより強い発散作用を受け、フォーカス電極で受けた球面収差を減殺する効果が増大され、センター電子ビーム７Ｇが垂直軸端７ＧＶでくびれを有するように歪むのを軽減できる。よって、３個の電子ビームスポット間の均一性が向上する。
【００４１】
なお、電子ビーム通過孔１７の端縁に突出部１９を設けたことによりセンター電子ビーム７Ｇに非点収差が生じるが、主レンズを形成する電極の内部に非点収差を補正する手段（例えば非点収差補正電極）を配置することよって補正可能であり、これによりセンター電子ビームとサイド電子ビームとのフォーカス電圧の差は解消可能であるため問題はない。
【００４２】
図２７は、突出部１９を有する非円形電子ビーム通過孔１７の短軸方向の開口径の最大値Ｄｖmaxに対する最小値Ｄｖminの比Ｄｖmin／Ｄｖmaxと、サイド電子ビームが受ける垂直方向の球面収差Ｃssに対するセンター電子ビームが受ける垂直方向の球面収差Ｃscの比Ｃsc／Ｃssとの関係を示す図である。ここで、非円形電子ビーム通過孔１７の短軸方向の開口径は、短軸上にて最小値Ｄｖminをとる。比Ｃsc／Ｃssは１であることが理想的であるが、０．９２以上１．０８以下であれば、センター電子ビームスポットとサイド電子ビームスポットとの垂直方向径の差が許容範囲内となることが本発明者らの実験で確かめられている。図２７より、比Ｄｖmin／Ｄｖmaxが、０．７３≦Ｄｖmin／Ｄｖmax≦０．９４を満足すると、センター電子ビームスポットとサイド電子ビームスポットとの垂直方向径を実質的に同一とすることができる。
【００４３】
また、突出部１９の長軸方向の幅Ｗが大きいと、サイド電子ビームスポットに形状歪みや非対称なヘイズを生じる場合がある。非円形電子ビーム通過孔１７の長軸方向の開口径Ｄｈに対する幅Ｗの比Ｗ／Ｄｈが、Ｗ／Ｄｈ≦０．２９を満足すると、サイド電子ビームスポットに実用上問題となる形状歪みや非対称なヘイズの発生を抑制することができる。ここで、幅Ｗとは、図２６（Ｂ）に示すように、突出部１９（又は短軸）を挟んで長軸方向の両側に存在する、非円形電子ビーム通過孔１７の短軸方向の開口径が最大値Ｄｖmaxである領域のうち、最も短軸に近い２点間の距離により定義される。
【００４４】
以下に、電子銃を構成する電極の端面に形成された３電子ビームに共通の電子ビーム通過孔の端縁形状を工夫した先行技術との相違を説明する。
【００４５】
特許文献１には、図２８に示すように、アノード電極２０のフォーカス電極と相対する面に設けられた３電子ビームに共通の電子ビーム通過孔２１の、センター電子ビーム７Ｇに対して短軸方向に対向する端縁に、階段状の突出部２２を設けることが記載されている。しかしながら、電子ビーム通過孔２１の短軸方向の開口径は、長軸方向において、突出部２２が形成された範囲では最小値Ｄvcで一定である。従って、センター電子ビーム７Ｇの垂直軸端７ＧＶが受ける発散作用は相対的に小さく、フォーカス電極で受けた球面収差を減殺する効果は低い。従って、センター電子ビームスポットの垂直方向径を縮小して、３個の電子ビームスポット間の均一性を向上させる効果は得られない。
【００４６】
特許文献２には、図２９に示すように、アノード電極２０’のフォーカス電極と相対する面に設けられた３電子ビームに共通の電子ビーム通過孔２１’の、センター電子ビーム７Ｇに対して短軸方向に対向する端縁に突出部２２’を設けることが記載されている。この電子ビーム通過孔２１’は、くびれ部分の長軸方向寸法がやや大きな、いわゆるドッグ・ボーン形状である。しかしながら、図２８と同様に、電子ビーム通過孔２１’の短軸方向の開口径は、長軸方向において、突出部２２’が形成された範囲では最小値Ｄvcで一定であるので、フォーカス電極で受けた球面収差を減殺する効果は低い。従って、センター電子ビームスポットの垂直方向径を縮小して、３個の電子ビームスポット間の均一性を向上させる効果は得られない。
【００４７】
特許文献３には、図３０に示すように、フォーカス電極２３のアノード電極と相対する面に設けられた３電子ビームに共通の電子ビーム通過孔２４の、センター電子ビーム７Ｇに対して短軸方向に対向する端縁に三角形状の突出部２５を設けることが記載されている。しかしながら、この電子ビーム通過孔２４は、相対的に低い電圧が印加されるフォーカス電極の、アノード電極と相対する面に設けられる。従って、センター電子ビーム７Ｇの垂直軸端７ＧＶは特に強い集束作用を受けるので、センター電子ビームスポットの垂直方向径が拡大し、３個の電子ビームスポット間の均一性は悪化する。
【００４８】
以下、本発明を具体的な実施の形態を示しながら、より詳細に説明する。
【００４９】
本発明のカラーブラウン管装置の構成は、以下に示す電子銃の構成を除いて特に制限はなく、例えば図２０に示したカラーブラウン管装置であっても良い。
【００５０】
（実施の形態１）
図１（Ａ）は、本発明の実施の形態１に係る電子銃の概略構成を示した水平方向断面図、図１（Ｂ）はその垂直方向断面図である。この電子銃は、同一水平面上を通るセンター電子ビーム及び一対のサイド電子ビームからなる一列配置された３電子ビームを放出するインライン型電子銃である。
【００５１】
この電子銃は、水平方向に一列配置された３個のカソードＫと、これから蛍光体スクリーン（図示せず）側に順次配置された一体構造の第１グリッドＧ１乃至第４グリッドＧ４と、第４グリッドＧ４の蛍光体スクリーン側端に取り付けられたシールドカップＳＣとからなる。
【００５２】
第１グリッドＧ１乃び第２グリッドＧ２には、上記一列配置された３個のカソードＫに対応した３個の電子ビーム通過孔がそれぞれ形成されている。
【００５３】
第３―１グリッドＧ３―１は、電子ビーム入射側端及び出射側端に３個の電子ビーム通過孔が形成された筒体を備える。
【００５４】
第３―２グリッド（フォーカス電極）Ｇ３―２は、電子ビーム入射側端すなわち第３―１グリッドＧ３―１と相対する面に３個の電子ビーム通過孔が形成され、電子ビーム出射側端すなわち第４グリッドＧ４と相対する面に図２に示すように３電子ビームに共通の概ね長円形の電子ビーム通過孔２６が形成された筒体２７を備える。電子ビーム通過孔２６の長軸は３電子ビームの配列方向（即ち水平方向）に平行であり、且つ、その短軸は３電子ビームの配列方向に直交する（即ち垂直方向と平行である）。電子ビーム通過孔２６の端縁形状は長軸及び短軸に対して対称である。第３―２グリッドＧ３―２の内部には非点収差の補正を目的として３個の電子ビーム通過孔２８Ｂ、２８Ｇ、２８Ｒが形成された非点収差補正電極２９が配置されている。
【００５５】
第４グリッド（アノード電極）Ｇ４は、電子ビーム入射側端すなわち第３−２グリッドＧ３−２と相対する面に図３に示すように３電子ビームに共通の非円形電子ビーム通過孔３１が形成された筒体３２を備える。電子ビーム通過孔３１の長軸は３電子ビームの配列方向（即ち水平方向）に平行であり、且つ、その短軸は３電子ビームの配列方向に直交する（即ち垂直方向と平行である）。電子ビーム通過孔３１の端縁形状は長軸及び短軸に対して対称である。第４グリッドＧ４の内部には非点収差の補正を目的として３個の電子ビーム通過孔３３Ｂ、３３Ｇ、３３Ｒが形成された非点収差補正電極３４が配置されている。センター電子ビームを短軸方向に挟む非円形電子ビーム通過孔３１の両端縁には、突出部３０がそれぞれ形成されている。非円形電子ビーム通過孔３１の短軸方向の開口径は、短軸上にて最小値Ｄｖminであり、短軸から長軸方向に離れるにしたがって最大値Ｄｖmaxまで連続的に増大している。
【００５６】
この電子銃では、カソードＫに約２０Ｖ乃至約１７０Ｖの電圧が印加され、第１グリッドＧ１は接地され、第２グリッドＧ２には約６００Ｖが印加される。第３―１グリッドＧ３―１には約８ｋＶのフォーカス電圧が印加され、第３−２グリッドＧ３−２には約８ｋＶを基準として、電子ビームの偏向距離に応じて上昇するダイナミックフォーカス電圧が重畳された電圧が印加される。第４グリッドＧ４には約３０ｋＶの高電圧（アノード電圧）が印加される。
【００５７】
上記の構成によって、センター電子ビームの短軸上の球面収差を低減することが可能となり、センター電子ビームスポットとサイド電子ビームスポットとの均一性を向上させることができる。
【００５８】
たとえば、第４グリッドＧ４の３電子ビームに共通の電子ビーム通過孔３１の長軸方向の開口径Ｄｈを１９．２ｍｍ、短軸方向の開口径の最大値Ｄｖmaxを８．２ｍｍ、最小値Ｄｖminを６．９ｍｍ、突出部３０の長軸方向の幅Ｗを５．２ｍｍとすると、
Ｄｖmin／Ｄｖmax＝６．９／８．２≒０．８４
であるので、サイド電子ビームが受ける垂直方向の球面収差Ｃssに対するセンター電子ビームが受ける垂直方向の球面収差Ｃscの比Ｃsc／Ｃssが図２７より略１となり、蛍光体スクリーン上で、センター電子ビームスポットとサイド電子ビームスポットとの垂直方向径を略同じにすることができる。また、
Ｗ／Ｄｈ＝５．２／１９．２≒０．２７
であるので、サイド電子ビームスポットに実用上問題となる形状歪みや非対称なヘイズは発生しない。
【００５９】
なお、本実施の形態においては、フォーカス電極Ｇ３―２及びアノード電極Ｇ４の内部に、非点収差を補正する手段として、電子ビームの進行方向に直交する１枚の非点収差補正電極を設けたが、本発明はこれに限定されない。例えば、フォーカス電極Ｇ３―２の内部に、図４に示すように短軸方向及び電子ビームの進行方向に平行な２枚の非点収差補正電極２９’や、図５に示すように長軸方向及び電子ビームの進行方向に平行な２枚の非点収差補正電極２９”を設けても良い。また、アノード電極Ｇ４の内部に、図６に示すように短軸方向及び電子ビームの進行方向に平行な２枚の非点収差補正電極３４’や、図７に示すように長軸方向及び電子ビームの進行方向に平行な２枚の非点収差補正電極３４”を設けても良い。また、非点収差を補正する手段の構成はフォーカス電極Ｇ３―２とアノード電極Ｇ４とで一致している必要はなく、上記の各種構成を適宜組み合わせても良い。
【００６０】
（実施の形態２）
前記の実施の形態１では主レンズを２個の電極で形成する場合を示したが、３個以上の電極で形成しても良い。図８にその一実施形態の電子銃を示す。図８（Ａ）は、本発明の実施の形態２に係る電子銃の概略構成を示した水平方向断面図、図８（Ｂ）はその垂直方向断面図である。この電子銃は、同一水平面上を通るセンター電子ビーム及び一対のサイド電子ビームからなる一列配置された３電子ビームを放出するインライン型電子銃である。
【００６１】
この電子銃は、水平方向に一列配置された３個のカソードＫと、これから蛍光体スクリーン（図示せず）側に順次配置された一体構造の第１グリッドＧ１乃至第４グリッドＧ４と、第４グリッドＧ４の蛍光体スクリーン側端に取り付けられたシールドカップＳＣとからなる。
【００６２】
第１グリッドＧ１乃び第２グリッドＧ２には、上記一列配置された３個のカソードＫに対応した３個の電子ビーム通過孔がそれぞれ形成されている。
【００６３】
第３―１グリッドＧ３―１は、電子ビーム入射側端及び出射側端に３個の電子ビーム通過孔が形成された筒体を備える。
【００６４】
第３―２グリッド（フォーカス電極）Ｇ３―２は、電子ビーム入射側端すなわち第３―１グリッドＧ３―１と相対する面に３個の電子ビーム通過孔が形成され、電子ビーム出射側端すなわち中間電極ＧＭと相対する面に図９に示すように３電子ビームに共通の概ね長円形の電子ビーム通過孔３５が形成された筒体３６を備える。電子ビーム通過孔３５の長軸は３電子ビームの配列方向（即ち水平方向）に平行であり、且つ、その短軸は３電子ビームの配列方向に直交する（即ち垂直方向と平行である）。電子ビーム通過孔３５の端縁形状は長軸及び短軸に対して対称である。第３―２グリッドＧ３―２の内部には非点収差の補正を目的として３個の電子ビーム通過孔３７Ｂ、３７Ｇ、３７Ｒが形成された非点収差補正電極３８が配置されている。
【００６５】
中間電極ＧＭは、図１０に示すように、電子ビーム入射側端部すなわち第３―２グリッドＧ３―２と相対する面及び電子ビーム出射側端すなわち第４グリッドＧ４と相対する面のそれぞれに、３電子ビームに共通の概ね長円形の電子ビーム通過孔３９，４０が形成された筒体４１を備える。電子ビーム通過孔３９，４０の各長軸は３電子ビームの配列方向（即ち水平方向）に平行であり、且つ、その各短軸は３電子ビームの配列方向に直交する（即ち垂直方向と平行である）。電子ビーム通過孔３９，４０の各端縁形状は長軸及び短軸に対して対称である。中間電極ＧＭの内部には非点収差の補正を目的として３個の電子ビーム通過孔４２Ｂ、４２Ｇ、４２Ｒが形成された非点収差補正電極４３が配置されている。
【００６６】
第４グリッド（アノード電極）Ｇ４は、電子ビーム入射側端すなわち中間電極ＧＭと相対する面に図１１に示すように３電子ビームに共通の非円形電子ビーム通過孔４５が形成された筒体４６を備える。電子ビーム通過孔４５の長軸は３電子ビームの配列方向（即ち水平方向）に平行であり、且つ、その短軸は３電子ビームの配列方向に直交する（即ち垂直方向と平行である）。電子ビーム通過孔４５の端縁形状は長軸及び短軸に対して対称である。第４グリッドＧ４の内部には非点収差の補正を目的として３個の電子ビーム通過孔４７Ｂ、４７Ｇ、４７Ｒが形成された非点収差補正電極４８が配置されている。センター電子ビームを短軸方向に挟む非円形電子ビーム通過孔４５の両端縁には、突出部４４がそれぞれ形成されている。非円形電子ビーム通過孔４５の短軸方向の開口径は、短軸上にて最小値Ｄｖminであり、短軸から長軸方向に離れるにしたがって最大値Ｄｖmaxまで連続的に増大している。
【００６７】
この電子銃では、カソードＫに約２０Ｖ乃至約１７０Ｖの電圧が印加され、第１グリッドＧ１は接地され、第２グリッドＧ２には約６００Ｖが印加される。第３―１グリッドＧ３―１には約８ｋＶのフォーカス電圧が印加され、第３−２グリッドＧ３−２には約８ｋＶを基準として、電子ビームの偏向距離に応じて上昇するダイナミックフォーカス電圧が重畳された電圧が印加される。中間電極ＧＭには管内に内蔵した抵抗器４９よりアノード電圧を抵抗分割して得た第３−２グリッド電圧より高い約１０ｋＶ乃至約２０ｋＶの電圧が印加される。第４グリッドＧ４には中間電極電圧よりも更に高い約３０ｋＶの高電圧（アノード電圧）が印加される。
【００６８】
このような構成でも、実施の形態１と同様の効果を得ることができる。
【００６９】
なお、本実施の形態においては、フォーカス電極Ｇ３―２、中間電極ＧＭ、及びアノード電極Ｇ４の内部に、非点収差を補正する手段として、電子ビームの進行方向に直交する１枚の非点収差補正電極を設けたが、本発明はこれに限定されない。
【００７０】
例えば、実施の形態１で説明したのと同様に、フォーカス電極Ｇ３―２の内部に、短軸方向及び電子ビームの進行方向に平行な２枚の非点収差補正電極（図４参照）や、長軸方向及び電子ビームの進行方向に平行な２枚の非点収差補正電極（図５参照）を設けても良い。また、アノード電極Ｇ４の内部に、短軸方向及び電子ビームの進行方向に平行な２枚の非点収差補正電極（図６参照）や、長軸方向及び電子ビームの進行方向に平行な２枚の非点収差補正電極（図７参照）を設けても良い。また、非点収差を補正する手段の構成はフォーカス電極Ｇ３―２とアノード電極Ｇ４とで一致している必要はなく、上記の各種構成を適宜組み合わせても良い。
【００７１】
中間電極ＧＭについても、その内部に、図１２に示すように電子ビームの進行方向に平行に配置された２枚の非点収差補正電極４３’を設けても良い。あるいは、中間電極ＧＭについては、非点収差を補正する手段（非点収差補正電極）を省略しても良く、その場合も本発明の上記の効果を得ることができる。
【００７２】
（実施の形態３）
本実施の形態は、主レンズを３個の電極で形成する点で実施の形態２と同じであるが、中間電極ＧＭのフォーカス電極Ｇ３−２と相対する面に設けられた３電子ビームに共通の電子ビーム通過孔の形状と、第４グリッドＧ４の中間電極ＧＭと相対する面に設けられた３電子ビームに共通の電子ビーム通過孔の形状において、実施の形態２と異なる。
【００７３】
図１３（Ａ）は、本発明の実施の形態３に係る電子銃の概略構成を示した水平方向断面図、図１３（Ｂ）はその垂直方向断面図である。この電子銃は、同一水平面上を通るセンター電子ビーム及び一対のサイド電子ビームからなる一列配置された３電子ビームを放出するインライン型電子銃である。カソードＫおよび第１グリッドＧ１乃至第３−２グリッドＧ３−２までの構成は実施の形態２と同様である。
【００７４】
中間電極ＧＭは、図１４に示すように、電子ビーム入射側端部すなわち第３―２グリッドＧ３―２と相対する面に３電子ビームに共通の非円形電子ビーム通過孔５１が形成され、電子ビーム出射側端部すなわち第４グリッドＧ４と相対する面に３電子ビームに共通の概ね長円形の電子ビーム通過孔５２が形成された筒体５３を備える。電子ビーム通過孔５１，５２の各長軸は３電子ビームの配列方向（即ち水平方向）に平行であり、且つ、その各短軸は３電子ビームの配列方向に直交する（即ち垂直方向と平行である）。電子ビーム通過孔５１，５２の各端縁形状は長軸及び短軸に対して対称である。中間電極ＧＭの内部には非点収差の補正を目的として３個の電子ビーム通過孔５４Ｂ、５４Ｇ、５４Ｒが形成された非点収差補正電極５５が配置されている。センター電子ビームを短軸方向に挟む非円形電子ビーム通過孔５１の両端縁には、突出部５０がそれぞれ形成されている。非円形電子ビーム通過孔５１の短軸方向の開口径は、短軸上にて最小値Ｄｖminであり、短軸から長軸方向に離れるにしたがって最大値Ｄｖmaxまで連続的に増大している。
【００７５】
第４グリッドＧ４は、電子ビーム入射側端部すなわち中間電極ＧＭと相対する面に、図１５に示すように、３電子ビームに共通の概ね長円形の電子ビーム通過孔５６が形成された筒体５７を備える。電子ビーム通過孔５６の長軸は３電子ビームの配列方向（即ち水平方向）に平行であり、且つ、その短軸は３電子ビームの配列方向に直交する（即ち垂直方向と平行である）。電子ビーム通過孔５６の端縁形状は長軸及び短軸に対して対称である。第４グリッドＧ４の内部には非点収差の補正を目的として３個の電子ビーム通過孔５８Ｂ、５８Ｇ、５８Ｒが形成された非点収差補正電極５９が配置されている。
【００７６】
このような構成でも、実施の形態１と同様の効果を得ることができる。
【００７７】
なお、本実施の形態においては、フォーカス電極Ｇ３―２、中間電極ＧＭ、及びアノード電極Ｇ４の内部に、非点収差を補正する手段として、電子ビームの進行方向に直交する１枚の非点収差補正電極を設けたが、本発明はこれに限定されない。
【００７８】
例えば、実施の形態１で説明したのと同様に、フォーカス電極Ｇ３―２の内部に、短軸方向及び電子ビームの進行方向に平行な２枚の非点収差補正電極（図４参照）や、長軸方向及び電子ビームの進行方向に平行な２枚の非点収差補正電極（図５参照）を設けても良い。また、アノード電極Ｇ４の内部に、図１６に示すように短軸方向及び電子ビームの進行方向に平行な２枚の非点収差補正電極５９’や、図１７に示すように長軸方向及び電子ビームの進行方向に平行な２枚の非点収差補正電極５９”を設けても良い。また、非点収差を補正する手段の構成はフォーカス電極Ｇ３―２とアノード電極Ｇ４とで一致している必要はなく、上記の各種構成を適宜組み合わせても良い。
【００７９】
中間電極ＧＭについても、その内部に、図１８に示すように電子ビームの進行方向に平行に配置された２枚の非点収差補正電極５５’を設けても良い。あるいは、中間電極ＧＭについては、非点収差を補正する手段（非点収差補正電極）を省略しても良く、その場合も本発明の上記の効果を得ることができる。
【００８０】
以上の実施の形態１〜３では、いずれもＢＰＦ型ＤＡＦ方式電子銃に本発明を適用した例を説明したが、本発明はこれに限定されない。例えば、第３−１グリッドＧ３−１と第３−２グリッドＧ３−２とを一体として、これに一定のフォーカス電圧を印加するＮｏｎ−ＤＡＦ方式の電子銃に本発明を適用することもできる。また、プリフォーカスレンズと主レンズとの間に予備集束レンズを備える多段集束型の電子銃に本発明を適用することもできる。
【００８１】
また、以上の実施の形態１〜３では、センター電子ビームに対して短軸方向に対向する突出部が、３電子ビームの進行方向と平行な方向から見たとき、図２６（Ｂ）に示すように曲線で構成される例を示したが、本発明はこれに限定されない。例えば、突出部が、図１９に示すように直線で構成される突出部５６であっても良く、この場合も上記と同様の効果を得ることができる。
【産業上の利用可能性】
【００８２】
本発明のカラーブラウン管装置は良好な画質を得るために有用であり、その利用分は特に制限はなく、各種用途に広く利用することができる。
【図面の簡単な説明】
【００８３】
【図１】図１は、本発明の実施の形態１に係る電子銃の概略構成を示した図であり、（Ａ）はその水平方向断面図、（Ｂ）はその垂直方向断面図である。
【図２】図２は、図１に示す本発明の実施の形態１に係る電子銃のフォーカス電極のアノード電極と相対する部分の形態を示す斜視図である。
【図３】図３は、図１に示す本発明の実施の形態１に係る電子銃のアノード電極のフォーカス電極と相対する部分の形態を示す斜視図である。
【図４】図４は、本発明の実施の形態１に係る電子銃のフォーカス電極の別の実施形態を示した斜視図である。
【図５】図５は、本発明の実施の形態１に係る電子銃のフォーカス電極の更に別の実施形態を示した斜視図である。
【図６】図６は、本発明の実施の形態１に係る電子銃のアノード電極の別の実施形態を示した斜視図である。
【図７】図７は、本発明の実施の形態１に係る電子銃のアノード電極の更に別の実施形態を示した斜視図である
【図８】図８は、本発明の実施の形態２に係る電子銃の概略構成を示した図であり、（Ａ）はその水平方向断面図、（Ｂ）はその垂直方向断面図である。
【図９】図９は、図８に示す本発明の実施の形態２に係る電子銃のフォーカス電極の中間電極と相対する部分の形態を示す斜視図である。
【図１０】図１０は、図８に示す本発明の実施の形態２に係る電子銃の中間電極を示す斜視図である。
【図１１】図１１は、図８に示す本発明の実施の形態２に係る電子銃のアノード電極の中間電極と相対する部分の形態を示す斜視図である。
【図１２】図１２は、本発明の実施の形態２に係る電子銃の中間電極の別の実施形態を示した斜視図である。
【図１３】図１３は、本発明の実施の形態３に係る電子銃の概略構成を示した図であり、（Ａ）はその水平方向断面図、（Ｂ）はその垂直方向断面図である。
【図１４】図１４は、図１３に示す本発明の実施の形態３に係る電子銃の中間電極を示す斜視図である。
【図１５】図１５は、図１３に示す本発明の実施の形態３に係る電子銃のアノード電極の中間電極と相対する部分の形態を示す斜視図である。
【図１６】図１６は、本発明の実施の形態３に係る電子銃のアノード電極の別の実施形態を示した斜視図である。
【図１７】図１７は、本発明の実施の形態３に係る電子銃のアノード電極の更に別の実施形態を示した斜視図である
【図１８】図１８は、本発明の実施の形態３に係る電子銃の中間電極の別の実施形態を示した斜視図である。
【図１９】図１９は、本発明の電子銃の電極に形成される非円形電子ビーム通過孔の別の端縁形状を示した正面図である。
【図２０】図２０は、カラーブラウン管装置の一例の概略構成を示した断面図である。
【図２１】図２１は、従来の重畳電界型電子銃の概略構成を示した図であり、（Ａ）はその水平方向断面図、（Ｂ）はその垂直方向断面図である。
【図２２】図２２は、図２１に示す従来の電子銃のフォーカス電極のアノード電極と相対する部分の形態を示す斜視図である。
【図２３】図２３は、図２１に示す従来の電子銃のアノード電極のフォーカス電極と相対する部分の形態を示す斜視図である。
【図２４】図２４は、従来の電子銃において、主レンズ通過前後の電子ビームの断面形状を示した図である。
【図２５】図２５（Ａ）は、従来の電子銃において、フォーカス電極のアノード電極側端面とセンター電子ビームとを示した正面図、図２５（Ｂ）は、従来の電子銃において、アノード電極のフォーカス電極側端面とセンター電子ビームとを示した正面図である。
【図２６】図２６（Ａ）は、本発明の一実施形態に係るカラーブラウン管装置の電子銃において、フォーカス電極のアノード電極側端面とセンター電子ビームとを示した正面図、図２６（Ｂ）は、本発明の一実施形態に係るカラーブラウン管装置の電子銃において、アノード電極のフォーカス電極側端面とセンター電子ビームとを示した正面図である。
【図２７】図２７は、本発明の一実施形態に係るカラーブラウン管装置の電子銃において、突出部を有する非円形電子ビーム通過孔の短軸方向の開口径の最大値Ｄｖmaxに対する最小値Ｄｖminの比Ｄｖmin／Ｄｖmaxと、サイド電子ビームの垂直方向の球面収差Ｃssに対するセンター電子ビームの垂直方向の球面収差Ｃscの比Ｃsc／Ｃssとの関係を示す図である。
【図２８】図２８は、従来の電子銃を構成する電極の端面に形成された３電子ビームに共通の電子ビーム通過孔の端縁形状を示した正面図である。
【図２９】図２９は、従来の別の電子銃を構成する電極の端面に形成された３電子ビームに共通の電子ビーム通過孔の端縁形状を示した正面図である。
【図３０】図３０は、従来の更に別の電子銃を構成する電極の端面に形成された３電子ビームに共通の電子ビーム通過孔の端縁形状を示した正面図である。
【符号の説明】
【００８４】
Ｋ  カソード
Ｇ１  第１グリッド
Ｇ２  第２グリッド
Ｇ３−１  第３−１グリッド
Ｇ３−２  第３−２グリッド（フォーカス電極）
ＧＭ  中間電極
Ｇ４  第４グリッド（アノード電極）
ＳＣ  シールドカップ
１７，３１，４５，５１  非円形電子ビーム通過孔
１９，３０，４４，５０，５６  突出部
【図１】
2007059258.tif 000003
【図２】
2007059258.tif 000004
【図３】
2007059258.tif 000005
【図４】
2007059258.tif 000006
【図５】
2007059258.tif 000007
【図６】
2007059258.tif 000008
【図７】
2007059258.tif 000009
【図８】
2007059258.tif 000010
【図９】
2007059258.tif 000011
【図１０】
2007059258.tif 000012
【図１１】
2007059258.tif 000013
【図１２】
2007059258.tif 000014
【図１３】
2007059258.tif 000015
【図１４】
2007059258.tif 000016
【図１５】
2007059258.tif 000017
【図１６】
2007059258.tif 000018
【図１７】
2007059258.tif 000019
【図１８】
2007059258.tif 000020
【図１９】
2007059258.tif 000021
【図２０】
2007059258.tif 000022
【図２１】
2007059258.tif 000023
【図２２】
2007059258.tif 000024
【図２３】
2007059258.tif 000025
【図２４】
2007059258.tif 000026
【図２５】
2007059258.tif 000027
【図２６】
2007059258.tif 000028
【図２７】
2007059258.tif 000029
【図２８】
2007059258.tif 000030
【図２９】
2007059258.tif 000031
【図３０】
2007059258.tif 000032